(57)【要約】【課題】複数の煙突に選択的に蓋をして、操業停止中の煙突に雨水が浸入するのを防止することのできる煙突多筒用養生蓋構造を提供すること。【解決手段】複数の煙突の排煙開口部を開閉可能に配設された煙突多筒用養生蓋構造であって、前記複数の煙突の中心から等距離に配設されたアーム機構と、前記アーム機構の先端に取り付けられ前記複数の煙突を選択的に閉じる蓋体とを備えるとともに、前記アーム機構は、基床上に立設された支柱と、前記支柱に揺動及び回動可能に支承され、前記蓋体を着脱自在に保持するアームと、前記アームの一端に取り付けられ、前記蓋体とほぼ釣り合うカウンターバランスと、前記アームの先端を昇降させるウインチとを備えたので、焼却炉等の操業休止時に作業者が一人で使用していない煙突に蓋をして、雨水等の浸入を防止することができる。【選択図】図１
2007187400.tif 000002
【特許請求の範囲】
【請求項１】
複数の煙突の排煙開口部を開閉可能に配設された煙突多筒用養生蓋構造であって、
前記複数の煙突の中心から等距離に配設されたアーム機構と、
前記アーム機構の先端に取り付けられ前記複数の煙突を選択的に閉じる蓋体とを備えるとともに、
前記アーム機構は、基床上に立設された支柱と、前記支柱に揺動及び回動可能に支承され、前記蓋体を着脱自在に保持するアームと、前記アームの一端に取り付けられ、前記蓋体とほぼ釣り合うカウンターバランスと、前記アームの先端を昇降させるウインチとを備えたことを特徴とする煙突多筒用養生蓋構造。
【請求項２】
前記蓋体は、偏心した位置で前記アーム先端に連結されることを特徴とする請求項１に記載の煙突多筒用養生蓋構造。
【発明の詳細な説明】
【技術分野】
【０００１】
本発明は、例えば焼却炉等から排出される排気を大気中に拡散するための煙突の養生蓋構造に関するものである。  
【背景技術】
【０００２】
一般に焼却炉等の煙突は、複数設置されたゴミ焼却炉を一定の操業ローテーションに従って操業されている。この時、操業を停止している煙突から雨水が浸入して、錆や腐食が発生するおそれがあった。
そこで、操業を停止している煙突の頂部に手作業でキャップを取り付けたり、引用文献１に示すように煙突を水平方向に開閉するシャッター状の蓋で覆う構成や平板状の蓋を開閉させる構成のものが提案されている。
【特許文献１】特開平１０−１６０１５４号公報
【発明の開示】
【発明が解決しようとする課題】
【０００３】
しかし、このような構成の従来の煙突多筒用養生蓋構造において、シャッター状の蓋をそれぞれの煙突に設置するのでは装置が複雑で故障し易いとともに、装置が大掛かりとなる欠点があった。
また、手作業で蓋体の開閉を行うものにあっては、重量のある蓋体を複数の煙突に１人で取り付けたり、取り外す作業は困難であり、危険を伴う可能性があった。
【０００４】
この発明は、上記に鑑み提案されたもので、作業者が一人で操業停止時に複数の煙突に選択的に蓋をして、雨水等の浸入を防止することにより、煙突内部の錆や腐食の発生を防止し、煙突中の酸化物が周囲に飛散するのを防止できる煙突多筒用養生蓋構造を提供することを目的とするものである。
【課題を解決するための手段】
【０００５】
上記目的を達成する為に、本発明の煙突多筒用養生蓋構造は、複数の煙突の排煙開口部を開閉可能に配設された煙突多筒用養生蓋構造であって、前記複数の煙突の中心から等距離に配設されたアーム機構と、前記アーム機構の先端に取り付けられ前記複数の煙突を選択的に閉じる蓋体とを備えるとともに、前記アーム機構は、基床上に立設された支柱と、前記支柱に揺動及び回動可能に支承され、前記蓋体を着脱自在に保持するアームと、前記アームの一端に取り付けられ、前記蓋体とほぼ釣り合うカウンターバランスと、前記アームの先端を昇降させるウインチとを備えたことを特徴としている。
【０００６】
また、本発明において蓋体は、偏心した位置で前記アーム先端に連結されることを特徴とする。
【発明の効果】
【０００７】
この発明は上記した構成からなるので、以下に説明するような効果を奏することができる。
【０００８】
本発明では、複数の煙突の排煙開口部を開閉可能に配設された煙突多筒用養生蓋構造であって、前記複数の煙突の中心から等距離に配設されたアーム機構と、前記アーム機構の先端に取り付けられ前記複数の煙突を選択的に閉じる蓋体とを備えるとともに、前記アーム機構は、基床上に立設された支柱と、前記支柱に揺動及び回動可能に支承され、前記蓋体を着脱自在に保持するアームと、前記アームの一端に取り付けられ、前記蓋体とほぼ釣り合うカウンターバランスと、前記アームの先端を昇降させるウインチとを備えたので、操業を停止した煙突に選択的に養生蓋を閉じることができ、雨水等の浸入や煙突内部の錆を防止できる。また、従来の手作業で蓋体を操作する場合に比較して、安全に作業を行うことができる。更に、ウインチによって作業すれば、１人で開閉作業をすることができる。
【０００９】
また、本発明において前記蓋体は、偏心した位置で前記アーム先端に連結されるので、閉じた際にアーム先端で蓋体を押さえるので、風等で不用意に開くのを防止することができる。特に、蓋体に設置された係止手段と反対側に偏心した位置でアームに取り付けられているので、蓋体が開き難い。また、ウインチによって、一人でも開閉操作を安全に行うことができる。
【発明を実施するための最良の形態】
【００１０】
煙突多筒用養生蓋構造であって、複数の煙突の中心から等距離に配設されたアーム機構とこのアーム機構の先端に取り付けられ、複数の煙突を選択的に閉じる蓋体とを備え、アーム機構は支柱と、支柱に揺動及び回動可能に支承され、蓋体を着脱自在に保持するアームと、蓋体とほぼ釣り合うカウンターバランスと、アームの先端を昇降させるウインチとを備えることにより、作業者が一人で複数の煙突を選択的に開閉操作するという目的が達成できる。
【実施例】
【００１１】
以下、一実施の形態を示す図面に基づいて本発明を詳細に説明する。図１は本発明に係る煙突多筒用養生蓋構造における双方の煙突を開成した状態を示す斜視図、図２は本発明の煙突多筒用養生蓋構造における双方の煙突を開成した状態を示す側面図、図３は煙突を開成した状態を示す平面図である。ここで、煙突多筒用養生蓋構造１０は、複数の煙突１１の排煙開口部１２を開閉可能に配設されたものであって、前記複数の煙突１１の中心Ｃから等距離に配設されたアーム機構１３と、前記アーム機構の先端に取り付けられ前記複数の煙突を選択的に閉じる蓋体１４とを備えている。
【００１２】
図３に示すように、本実施例では２本の煙突１１の中心Ｃから等距離にアーム機構１３が配設されており、１本のアームで双方の煙突に蓋体１４を取り付けることができる。また、アーム機構１３は、基床上に立設された支柱１５と、この支柱１５に揺動及び回動可能に支承され、前記蓋体１４を着脱自在に保持するアーム１６と、前記アーム１６の一端に取り付けられ、前記蓋体１４とほぼ釣り合うカウンターバランス１７と、前記アーム１６の先端を昇降させるウインチ１８とを備えている。
【００１３】
支柱１５は、基床から立設されるとともに、サポート１９によって壁面に支持されている。また、支柱１５には、手動のウインチ１８と旋回用ハンドル２０が取り付けられており、基床に固定された基端部１５ａに対して回動可能に支承されている。ウインチ１８は、ハンドル１８ａによってワイヤー２１を弛めたり、巻き取ることにより、アーム１６を揺動させることができる。旋回用ハンドル２０は、棒状の腕が半径方向に９０°間隔で突出しており、この腕を持って支柱１５及びアーム１６を旋回することができる。
【００１４】
アーム１６は、支点１６ａで支柱１５の頂部に揺動可能に支承されるとともに、一端が支柱１５に固定されたバネ２２に蓋体１４を取り付ける先端側が下降する方向に付勢されている。また、アーム１６の基端側には、蓋体１４とほぼ釣り合うカウンターバランス１７が取り付けられている。カウンターバランス１７の重量は、アームに対する支点１６ａの位置、及び蓋体１４の重量によって決定される。更に、アーム１６の基端側には、ワイヤー２１の一端が固定されている。
【００１５】
アーム１６の先端側は、鉤形に折曲するとともに先端部には、蓋体１４を取り付けるための取付片１６ｂが形成されている。この取付片１６ｂに係止ボルト２３を挿通するためのボルト穴が形成されている（図６参照）。この取付片１６ｂに蓋体１４が係止ボルト２３を介して揺動可能に連結されている。
【００１６】
蓋体１４は、煙突の排煙開口部１２を覆う大きさで全体がほぼ円板状に形成されて、上端に吊り下げ用の突起２４を有している。また、蓋体１４の先端には、係止用突片２５を有しており、煙突１１側に形成された頂部ノズルタラップ２６に形成された係止片２７と係合する。係止用突片２５と係止片２７は、形成されたボルト穴に係止ボルトを挿通することにより固定する。更に、突起２４は、吊り下げ用のボルト穴を有するとともに、図５に示すように中心ＣからＸだけ係止用突片２５と反対方向に偏心している。
【００１７】
図７は、煙突多筒用養生蓋構造における外れ止め機構を示す要部平面図、図８は、その要部側面図である。外れ止め機構は、蓋体１４の係止用突片２５とは逆方向の下縁に外れ止めプレート２８が形成されている。外れ止めプレート２８は、蓋体１４の装着時に煙突１１の頂部近傍外縁に形成された突出部２９に係合するように設置されている。
【００１８】
次に、以上のように構成された煙突多筒用養生蓋構造の動作について説明する。先ず、双方の焼却炉等を操業する場合は、図１、２に示すように２本の煙突１１とも開放しており、蓋体１４はアーム機構１３から外して基床上に載置されている。アーム機構１３もアーム１６を下げて、風等の影響を受けないようにしておく。
【００１９】
次に、何れかの煙突１１の操業を停止し、蓋体１４を閉じる場合は、先ずアーム機構１３のアーム１６先端に蓋体１４を取り付ける。蓋体１４を取り付けた後、ウインチ１８のハンドル１８ａを廻してアーム１６を上昇させ、蓋体１４が煙突１１の上まで上昇させる。その後、旋回用ハンドル２０を持って、蓋をする煙突の上に旋回させる（図３、４参照）。蓋体１４が煙突の排煙開口部１２の真上に来たら、係止用突片２５と係止片２７が一致するように下降し、外れ止めプレート２８と突出部２９を係合する。最後に、作業者は煙突１１の頂部ノズルタラップ２６を昇って、係止ボルトで係止用突片２５と係止片２７を固定する。この状態で、蓋体１４は外れ止めプレート２８及び係止用突片２５、係止片２７によって固定されるとともに、バネ２２で下方に付勢されたアーム１６で押さえられる。したがって、蓋体１４を強固に固定することができ安全である。
【００２０】
また、他の煙突１１を覆う場合は、作業者は頂部ノズルタラップ２６を昇って、係止用突片２５及び係止片２７を固定する係止ボルトを外した後、アーム機構１３側に廻って、ウインチ１８により吊り上げ、旋回用ハンドル２０によって旋回させる。所定の煙突１１の真上で、下降させ外れ止めプレート２８を突出部２９に係合した後、係止ボルトで係止用突片２５及び係止片２７を固定する。このようにして、所望の煙突１１を蓋体１４で覆い固定することができる。
【００２１】
このように本発明の煙突多筒用養生蓋構造では、重量のある蓋体１４であっても、ウインチ１８を使用することにより、一人で容易に開閉作業をすることができる。また、複数の煙突の内で操業を停止している煙突のみに蓋をして雨水の浸入を防止し、煙突内部の錆を防止できる。また、煙突内の酸化物が周囲に飛散するのを防止できる。
【００２２】
なお、以上の実施例では、煙突が２本の場合について説明したが、３本以上であっても同様に蓋体を設置することができる。
【図面の簡単な説明】
【００２３】
【図１】図１は、本発明に係る煙突多筒用養生蓋構造における双方の煙突を開成した状態を示す斜視図である。
【図２】図２は、同煙突多筒用養生蓋構造における双方の煙突を開成した状態を示す側面図である。
【図３】図３は、同煙突多筒用養生蓋構造における双方の煙突を開成した状態を示す平面図である。
【図４】図４は、同煙突多筒用養生蓋構造における閉成動作を示す側面図である。
【図５】図５は、同煙突多筒用養生蓋構造における一方の煙突を閉成した状態を示す側面図である。
【図６】図６は、同煙突多筒用養生蓋構造における一方の煙突を閉成した状態を示す斜視図である。
【図７】図７は、同煙突多筒用養生蓋構造における外れ止め機構を示す要部平面図である。
【図８】図８は、同煙突多筒用養生蓋構造における外れ止め機構を示す要部側面図である。
【符号の説明】
【００２４】
１０      煙突多筒用養生蓋構造
１１      煙突
１２      排煙開口部
１３      アーム機構
１４      蓋体
１５      支柱
１５ａ    基端部
１６      アーム
１６ａ    支点
１６ｂ    取付片
１７      カウンターバランス
１８      ウインチ
１８ａ    ハンドル
１９      サポート
２０      旋回用ハンドル
２１      ワイヤー
２２      バネ
２３      係止ボルト
２４      突起    
２５      係止用突片
２６      頂部ノズルタラップ
２７      係止片
２８      外れ止めプレート
２９      突出部
【図１】
2007187400.tif 000003
【図２】
2007187400.tif 000004
【図３】
2007187400.tif 000005
【図４】
2007187400.tif 000006
【図５】
2007187400.tif 000007
【図６】
2007187400.tif 000008
【図７】
2007187400.tif 000009
【図８】
2007187400.tif 000010